(57)【要約】【課題】絶縁性被覆部材と結合部との間のシール性を向上させることができる回転電機及び回転電機のシール方法を提供する。【解決手段】コイル線材２５の導電部２５ｂと発電出力用リード線１９の結線部１９ｂとが電気的に接続された結合部２１を備え、この結合部２１には絶縁チューブ２２が装着され、絶縁チューブ２２の他端の開口部２２ｂには、シール部材３５が封入されていることを特徴とする。【選択図】図３
2009189156.tif 000002
【特許請求の範囲】
【請求項１】
電機子コイルが巻装されたステータと、前記ステータに対して回転自在に設けられたロータとを備えた回転電機において、
前記電機子コイルの端末部と発電出力用リード線の端末部とが電気的に接続された結合部を備え、この結合部は絶縁性被覆部材で覆われ、
前記絶縁性被覆部材における少なくとも前記結合部の先端側の端部には、シール部材が封止されていることを特徴とする回転電機。
【請求項２】
電機子コイルが巻装されたステータと、前記ステータに対して回転自在に設けられたロータとを備えた回転電機において、
前記電機子コイルの端末部と発電出力用リード線の端末部とが電気的に接続された結合部を備え、この結合部は絶縁性被覆部材で覆われ、
前記絶縁性被覆部材と前記結合部の先端側の端部との間に油性ゲル状物質が充填されていることを特徴とする回転電機。
【請求項３】
電機子コイルが巻装されたステータと、前記ステータに対して回転自在に設けられたロータとを備えた回転電機において、
前記電機子コイルの端末部と発電出力用リード線の端末部とが電気的に接続された結合部を備え、この結合部は絶縁性被覆部材で覆われ、
前記絶縁性被覆部材における少なくとも前記結合部の先端側の端部には、シール部材が封止されているとともに、前記絶縁性被覆部材と前記結合部の先端側の端部との間に油性ゲル状物質が充填されていることを特徴とする回転電機。
【請求項４】
前記電機子コイルの一部が、流体中に浸漬されていることを特徴とする請求項１から請求項３の何れか１項に記載の回転電機。
【請求項５】
電機子コイルが巻装されたステータと、前記ステータに対して回転自在に設けられたロータとを備えた回転電機のシール方法であって、
前記電機子コイルの端末部と発電出力用リード線の端末部とを電気的に結合させる工程と、
前記結合部を被覆する絶縁性被覆部材の一端側から前記絶縁性被覆部材内に油性ゲル状物質を注入する工程と、
前記絶縁性被覆部材の他端側から前記結合部を挿入する工程とを有することを特徴とする回転電機のシール方法。
【発明の詳細な説明】
【技術分野】
【０００１】
本発明は、例えば、自動二輪車に用いられる回転電機及び回転電機のシール方法に関するものである。
【背景技術】
【０００２】
一般に、自動二輪車に搭載される発電機として、磁石発電機（回転電機）が多く用いられている。
この発電機は、自動二輪車のエンジンのクランクシャフトに連係される有底筒状のロータと、エンジンのケースの内側に固定されたステータとを備えている。ロータの内周面側には永久磁石が設けられ、一方、ステータには複数の電機子コイルが巻装されたティースが永久磁石に対応するように設けられている。そして、ロータが回転することによりティースに流れる磁束が変化し、これが起電力となって電機子コイルに電流が流れるようになっている（例えば、特許文献１参照）。
【０００３】
上述した電機子コイルに流れる電流は、電機子コイルと発電出力用リード線とのそれぞれの端末部を結合することにより、その発電出力用リード線を介してバッテリに蓄電されたり、付属電機機器に電力供給を行ったりする用途に用いられる。
電機子コイルと発電出力用リード線との結合は、例えばそれぞれの一端の端末部を重ね合わせて半田付けしたり、圧着スリーブを用いて加締めたりすることで行われる。そして、各結合部には、それぞれの絶縁性を確保するために絶縁チューブ（絶縁性被覆部材）が被覆されている。
【特許文献１】特開２００５−２６１１０１号公報
【発明の開示】
【発明が解決しようとする課題】
【０００４】
ところで、上述した発電機は、エンジンのケース内においてエンジンオイルに浸漬されている。この時、エンジンの内部と外部との圧力差により、絶縁チューブ内が負圧になり、絶縁チューブ内にエンジンオイルが流入する虞がある。絶縁チューブ内に流入したエンジンオイルは、発電出力用リード線を伝ってエンジン外部に引き出された発電出力用リード線の他端側の端末部とバッテリや付属電機機器との接続部まで達することがある。この接続部にオイルが付着すると、接続部の抵抗が上昇するため、接続部が発熱を伴って所定の電力を出力できない場合がある。
【０００５】
また、自動二輪車のエンジンの内部は気密性を確保しなければならず、通常、エンジン組み付け後に行う完成品検査において、エンジンの内部の気密性を確認する気密性試験を行うものである。この時、上述した絶縁チューブ内において、絶縁チューブと結合部との間に隙間が存在して、この隙間からエア漏れが発生するという虞がある。気密性試験を行う上で、発電機の気密性を確保していないと、エンジンからのエア漏れが確認できたとしても、そのエア漏れが発電機からのエア漏れか、それ以外の部品からのエア漏れかが判断することが難しく、エア漏れの対象部品を特定し難いという問題がある。
【０００６】
そこで、本発明は、上述の事情に鑑みてなされたものであって、絶縁性被覆部材と結合部との間のシール性を向上させることができる回転電機及び回転電機のシール方法を提供するものである。
【課題を解決するための手段】
【０００７】
上記の課題を解決するために、請求項１に記載した発明は、電機子コイルが巻装されたステータと、前記ステータに対して回転自在に設けられたロータとを備えた回転電機において、前記電機子コイルの端末部と発電出力用リード線の端末部とが電気的に接続された結合部を備え、この結合部は絶縁性被覆部材で覆われ、前記絶縁性被覆部材における少なくとも前記結合部の先端側の端部には、シール部材が封止されていることを特徴とする。
このように構成することで、絶縁性被覆部材における結合部の先端側の端部がシール部材により閉塞される。これにより、絶縁性被覆部材と結合部との間のシール性を向上させることができる。
【０００８】
請求項２に記載した発明は、電機子コイルが巻装されたステータと、前記ステータに対して回転自在に設けられたロータとを備えた回転電機において、前記電機子コイルの端末部と発電出力用リード線の端末部とが電気的に接続された結合部を備え、この結合部は絶縁性被覆部材で覆われ、前記絶縁性被覆部材と前記結合部の先端側の端部との間に油性ゲル状物質が充填されていることを特徴とする。
このように構成することで、絶縁性被覆部材と結合部の先端側の端部との間に油性ゲル状物質が充填されているため、絶縁性被覆部材と結合部との間のシール性を向上させることができる。
【０００９】
請求項３に記載した発明は、電機子コイルが巻装されたステータと、前記ステータに対して回転自在に設けられたロータとを備えた回転電機において、前記電機子コイルの端末部と発電出力用リード線の端末部とが電気的に接続された結合部を備え、この結合部は絶縁性被覆部材で覆われ、前記絶縁性被覆部材における少なくとも前記結合部の先端側の端部には、シール部材が封止されているとともに、前記絶縁性被覆部材と前記結合部の先端側の端部との間に油性ゲル状物質が充填されていることを特徴とする。
このように構成することで、絶縁性被覆部材における結合部の先端側の端部がシール部材により閉塞されるとともに、油性ゲル状物質により結合部の端部が覆われる。これにより、絶縁性被覆部材のシール性をより向上させることができる。
【００１０】
請求項４に記載した発明は、前記電機子コイルの一部が、流体中に浸漬されていることを特徴とする。
このように構成することで、電機子コイルを油中に浸漬配置することで、電機子コイルの冷却を行いつつ、ロータを回転させることができる。
【００１１】
請求項５に記載した発明は、電機子コイルが巻装されたステータと、前記ステータに対して回転自在に設けられたロータとを備えた回転電機のシール方法であって、前記電機子コイルの端末部と発電出力用リード線の端末部とを電気的に結合させる工程と、前記結合部を被覆する絶縁性被覆部材の一端側から前記絶縁性被覆部材内に油性ゲル状物質を注入する工程と、前記絶縁性被覆部材の他端側から前記結合部を挿入する工程とを有することを特徴とする。
このように構成することで、結合部を絶縁性被覆部材に挿入する前に、絶縁性被覆部材内に予め油性ゲル状物質を注入しておくことで、結合部の挿入時に、絶縁性被覆部材内における油性ゲル状物質の充填領域を結合部が通過すると、結合部の周囲に油性ゲル状物質が付着した状態となる。そして、絶縁性被覆部材の端部まで結合部を挿入することで、絶縁性被覆部材の端部が閉塞される。つまり、絶縁性被覆部材が閉塞されるとともに、各端末部に至るまで油性ゲル状物質が塗布される。よって、製造容易性及び製造効率を向上させることができるとともに、より確実にシール性を向上させることができる。
【発明の効果】
【００１２】
本発明によれば、絶縁性被覆部材と結合部との間のシール性を向上させることができるため、絶縁性被覆部材内へのエンジンオイル等の流入を防ぐことができる。したがって、結合部から発電出力用リード線を伝って発電出力用リード線の他端側の接続部までエンジンオイルが達する虞がなく、接続部にエンジンオイル等が付着することがないため、付属電機機器等に所定の電力を出力することができる。
また、絶縁性被覆部材と結合部との間のシール性を向上させることができるため、絶縁性被覆部材からのエア漏れを防いで、エンジンの内部の気密性を向上させることができる。さらに、気密性の高い部品をエンジンに搭載することで、完成品検査の気密性試験において他の部品からエア漏れがあった場合に、エア漏れ対象部品を判断しやすくなる。
【発明を実施するための最良の形態】
【００１３】
次に、本発明の第１実施形態を図面に基づいて説明する。
図１，２に示すように、発電機（回転電機）１は、例えば自動二輪車に用いられるアウターロータ型の発電機であって、エンジンのクランクシャフト２の先端に固定されたロータ３と、エンジンのケース３０に固定されたステータ４とを備えている。エンジンのケース３０内には、発電機１の後述する電機子コイル１８や他の構成部材の冷却等を行うためにエンジンオイルが収容されており、発電機１は、その一部が浸漬された状態で配置されている。
【００１４】
ロータ３は、有底筒状に形成されたものであって、中央にロータボス５が設けられている。ロータボス５の中央には貫通孔６が形成されている。貫通孔６は、クランクシャフト２の先端形状に対応するように基端側に向かって径方向に広がるテーパ状に形成されており、ここにクランクシャフト２が挿入されるようになっている。そして、ロータ３とクランクシャフト２とは、ナット１０によって締結固定され、軸線回りに共回りするようになっている。
【００１５】
ロータ３の底壁１１には、複数のネジ孔１２が周方向に等間隔に形成されている。このネジ孔１２には、ロータ３とワンウェイクラッチ機構１３とを締結固定するためのボルト１４が挿入されている。
ロータ３の周壁７には、内周面側に複数の永久磁石８（図１参照）が周方向に磁極が交互となるように設けられている。また、外周面側には、複数の突起９が周方向に等間隔に設けられている。これら突起９は、クランクシャフト２やロータ３の回転位置を検出するためのものである。
【００１６】
ステータ４は、円環状のステータコア１７を有している。ステータコア１７は、磁性材料の板材を軸線方向に積層して形成したものであって、中央にロータボス５が挿通可能なボス孔１５が形成されている。また、ステータコア１７には、周方向に沿って等間隔に複数（例えば、３箇所）のネジ孔２０が形成されている。そして、このネジ孔２０には、ステータ４をエンジンのケース３０に締結固定するためのボルト３１が挿入されている。さらに、ステータコア１７には、放射状に径方向外側に向かって延出する複数のティース１６が周方向に等間隔に設けられている。これらティース１６には、それぞれインシュレータ２４が装着され、そのインシュレータ２４を介して電機子コイル１８が巻装されている。
【００１７】
図１〜３に示すように、電機子コイル１８は、Ｕ相、Ｖ相、Ｗ相の３相備え、これら各相の電機子コイル１８は、コイル線材２５がそれぞれティース１６間に巻装されて構成されている。コイル線材２５は、銅線に絶縁材であるエナメルが被膜された、いわゆるエナメル線である。各コイル線材２５の端末部２５ａは、各々所定のティース１６に巻装された後、その巻き始め端、及び巻き終わり端が相毎に纏まった状態でティース１６，１６間から引き出し位置付近Ｃまで導き出されている。端末部２５ａの先端部分における外表面は、エナメル被膜が剥離された導電部２５ｂが形成されている。
【００１８】
一方、引き出し位置付近Ｃには、エンジンのケース３０の外方から３本の発電出力用リード線１９の端末部１９ａがケース３０の内部に挿入されている。端末部１９ａの先端部分は、銅線が露出した結線部１９ｂとして形成されている。各発電出力用リード線１９は、１本の被覆チューブ２６ａによって纏まった状態で被覆されたハーネス２６として構成されている。ハーネス２６は、エンジンのケース３０に形成された貫通孔３２からグロメット３３を介してケース３０の外方に引き出されている。ハーネス２６の他端には、カプラ３４が取り付けられており、このカプラ３４を介して発電機１が図示しないバッテリや付属電子機器に接続される。
【００１９】
図３に示すように、コイル線材２５の各導電部２５ｂと発電出力用リード線１９の各結線部１９ｂとは、それぞれ同じ向きになるように重ね合わされており、この重ね合わせた部分を半田付けして結合部２１を形成している。なお、結合部は半田付けする他に、圧着スリーブを用いて加締めたりする構成等を用いることも可能である。
【００２０】
各結合部２１には、それぞれ管状の絶縁チューブ（絶縁性被覆部材）２２が装着されている。絶縁チューブ２２は、各結合部２１の絶縁を確保するためのものである。絶縁チューブ２２は、その一端の開口部２２ａから各結合部２１の先端を挿入するようにして装着されており、コイル線材２５及び発電出力用リード線１９のそれぞれの端末部２５ａ，１９ａを覆うようになっている。各絶縁チューブ２２は、断面矩形状の固定具２３に束ねられ、この固定具２３を介してステータコア１７にボルト２７によって締結固定されている。
【００２１】
ここで、各絶縁チューブ２２における結合部２１の先端側の端部、つまり各絶縁チューブ２２の他端の開口部２２ｂには、結合部２１の手前側に至る部位にシール部材３５が封入されている。したがって、結合部２１の先端とシール部材３５との間には間隙を有している。シール部材３５は、シリコーン樹脂等の樹脂材料から構成された円柱形状のものであり、その外径が絶縁チューブ２２の内径と同径若しくは、それ以上に形成されることが好ましい。そして、シール部材３５は、絶縁チューブ２２の他端の開口部２２ｂから押し込まれるように挿入されている。これにより、絶縁チューブ２２の他端の開口部２２ｂは、隙間なく閉塞されている。
【００２２】
次に、発電機のシール方法として、絶縁チューブ２２及びシール部材３５の装着手順について説明する。
図３に示すように、まずコイル線材２５の導電部２５ｂと発電出力用リード線１９の結線部１９ｂとを、それぞれ同じ向きになるように重ね合わせて半田付けした後、絶縁チューブ２２の一端側の開口部２２ａ側を結合部２１の先端に向けた状態で結合部２１を挿入する。この時、絶縁チューブ２２の他端の開口部２２ｂ側まで、結合部２１を挿入する。
【００２３】
次に、各絶縁チューブ２２にシール部材３５を装着する。具体的には、結合部２１の先端側の端部、つまり絶縁チューブ２２の他端の開口部２２ｂ側からシール部材３５を押し込むように挿入していく。この時、シール部材３５の内面と上述した結合部２１の先端との間に間隙を有しつつ、互いに近接する位置までシール部材３５を挿入する。これにより、絶縁チューブ２２及びシール部材３５が結合部２１に装着される。なお、シール部材３５を装着した後に、結合部２１に絶縁チューブ２２を装着させてもよい。
【００２４】
そして、各結合部２１に装着された各絶縁チューブ２２をまとめて固定具２３を取り付ける。その後、絶縁チューブ２２に取り付けられた固定具２３をステータコア１７にボルト２７によって締結固定する。
【００２５】
このようにして、結合部２１に装着された絶縁チューブ２２がステータコア１７に固定された発電機１においては、エンジンを始動するときには、スタータのモータの回転がワンウェイクラッチ機構１３を介してロータ３に伝達され、このロータ３がロータ３に固定されたクランクシャフト２を回転させる。このようにしてクランクシャフト２を回転させることでエンジンが始動する。その後、クランクシャフト２の回転数が所定数を越えると、クランクシャフト２と共に回転するワンウェイクラッチ機構１３によってスタータモータとエンジンとが切り離される。
また、クランクシャフト２と共にロータ３が回転すると、永久磁石８がステータ４の周りを回転するので、電機子コイル１８に誘導起電力が発生し、この起電力が発電出力用リード線１９を介して不図示のバッテリに蓄電されたり、付属電気機器に電力供給されたりする。
【００２６】
したがって、上述の第１実施形態によれば、絶縁チューブ２２の他端側の開口部２２ｂがシール部材３５により閉塞されているため、絶縁チューブ２２と結合部２１との間のシール性を向上させることができる。これにより、絶縁チューブ２２内へのエンジンオイルの流入を防ぐことができる。したがって、結合部２１から発電出力用リード線１９を伝ってカプラ３４側までエンジンオイルが達する虞がなく、カプラ３４にエンジンオイルが付着することがないため、発電機１から付属電機機器等に所定の電力を出力することができる。
【００２７】
次に、図１，２，４に基づいて、本発明の第２実施形態について説明する。なお、以下の説明では、上述の第１実施形態と同様の構成については、同一の符号を付して説明は省略する。
図４に示すように、結合部２１の周囲には、絶縁チューブ２２の内壁との間にグリス（油性ゲル状物質）４０が充填されている。このグリス４０は、結合部２１の先端面からコイル線材２５の端末部２５ａ及び発電出力用リード線１９の端末部１９ａに至る部位まで塗布されている。これにより、絶縁チューブ２２の他端の開口部２２ｂは隙間なく閉塞されている。なお、グリス４０の構成材料としては、比較的流動性が低く、かつ耐熱性の高い材料が好ましく、従来よりエンジンの構成部品の組み付けに用いられる公知のものを使用することが可能である。これにより、グリス４０が溶けてエンジン内部に流出する虞もない。万が一エンジン内にグリス４０が流出しても、エンジンの構成部品の組み付けに用いられるものを用いているため、エンジンに対して何ら悪影響を与えるものではない。
【００２８】
次に、本実施形態における発電機のシール方法について説明する。
図４に示すように、まず絶縁チューブ２２内にグリス４０を予め充填しておく。具体的には、絶縁チューブ２２の他端の開口部２２ｂ側から、絶縁チューブ２２内に向けてグリス４０を注入していく。この時、絶縁チューブ２２の他端側において、絶縁チューブ２２の径方向に隙間なく行渡らせるようにグリス４０を注入することが好ましい。
【００２９】
次に、電機子コイル１８と発電出力用リード線１９との結合部２１を絶縁チューブ２２内に挿入する。具体的には、絶縁チューブ２２の一端側の開口部２２ａ側を結合部２１の先端に向けた状態で結合部２１をそれぞれ挿入する。この時、絶縁チューブ２２の他端側の開口部２２ｂに近接する位置まで、結合部２１を挿入する。
【００３０】
ここで、結合部２１を挿入していくと、結合部２１は絶縁チューブ２２内におけるグリス４０の充填された領域を通過することになる。つまり、結合部２１は、絶縁チューブ２２内に注入されたグリス４０を絶縁チューブ２２の径方向や軸方向に押し退けて挿入されていく。これにより、結合部２１の先端面や周囲からコイル線材２５の端末部２５ａ及び発電出力用リード線１９の端末部１９ａを覆うようにグリス４０が付着する。さらに、絶縁チューブ２２と結合部２１との間や、絶縁チューブ２２の他端の開口部２２ｂが隙間なく閉塞される。
【００３１】
したがって、本実施形態によれば、上述した第１実施形態と同様の効果を奏するとともに、絶縁チューブ２２を閉塞するためにグリス４０を用いているため、絶縁チューブ２２を閉塞するために例えば接着剤等を用いる場合と異なり、乾燥させるための時間を必要としない。また、グリス４０は拭き取りが可能な材料であるため、充填領域と異なる場所に付着してしまった場合等には即座に拭き取って除去することができる。また、結合部２１を絶縁チューブ２２に挿入する前に、絶縁チューブ２２内に予めグリス４０を注入しておくことで、結合部２１の挿入に伴って、絶縁チューブ２２が閉塞されるとともに、各端末部２５ａ，１９ａに至るまでグリス４０を塗布することができる。
よって、製造容易性及び製造効率を向上させることができるとともに、より確実にシール性を向上させることができる。
【００３２】
ところで、自動二輪車のエンジンの内部は気密性を確保しなければならず、通常、エンジン組み付け後に行う完成品検査において、エンジンの内部の気密性を確認する気密性試験を行うものである。この時、上述した絶縁チューブ内において、絶縁チューブと結合部との間に隙間が存在して、この隙間からエア漏れが発生するという虞がある。気密性試験を行う上で、発電機の気密性を確保していないと、エンジンからのエア漏れが確認できたとしても、そのエア漏れが発電機からのエア漏れか、それ以外の部品からのエア漏れかが判断することが難しく、エア漏れの対象部品を特定し難いという問題がある。
【００３３】
ここで、本願発明者は、本発明における発電機のシール性を確認する試験を行った。
まず、本試験に用いる試験装置を説明する。
図５に示すように、試験装置６０は、水が収容された試験槽６１内にエンジンのケース（例えば、図１中ケース３０）に相当する治具６２が浸漬配置されている。治具６２は密閉された箱型形状のものであり、その内部に発電機１が収容されている。なお、本試験においては、上述した第２実施形態の発電機１を用いた場合について説明する。
【００３４】
治具６２の上面には、エア供給管６３が接続されている。このエア供給管６３は、一端が治具６２内に挿入され、他端が試験槽６１の外方に引き出されており、試験槽６１の外方から治具６２内にエアを供給できるように構成されている。一方、治具６２の側面からは、グロメット３３を介してハーネス２６が引き出されている。ハーネス２６の一端には、結合部２１を被覆する絶縁チューブ２２が装着されている。被覆チューブ２２内には、上述したグリス４０が充填されており、被覆チューブ２２の開口部は閉塞された状態で保持されている。ハーネス２６の他端には、カプラ３４が取り付けられている。カプラ３４は、その上方から有底筒状の集気管６４により囲まれている。この集気管６４は、ハーネス２６の他端から放出されるエアを集めるものである。
【００３５】
次に、本試験の試験方法について説明する。本試験は、エンジンの組み付け後の完成品検査において行われる気密性試験を模擬的に行ったものである。本試験では、まずエア供給管６３から治具６２内にエアを供給する（図５中矢印参照）。そして、治具６２内に充填されたエアのうち、ハーネス２６内を伝って、カプラ３４側から放出されるエアが集気管６４内に収容される。そして、所定時間経過後に集気管６４内に収容されたエアの量を測定する。このエアの量を、絶縁チューブ２２から漏れて流出してきたエアの漏れ量として算出した。
【００３６】
図６は、本試験の試験結果を示すグラフであり、経過時間（ｓ）に対する漏れ量（ｃｃ）を示している。本試験では、対策前の発電機として絶縁チューブの開口部が開口した状態のものを用い、対策後の発電機として第２実施形態で用いた発電機１を用い、対策前の発電機と対策後の発電機とでエアの漏れ量の比較を行った。なお、図６では、直線Ｄを挟んで下側をＯＫゾーンとしており、エアの漏れが少なく気密性が確保できている範囲を示している。一方、直線Ｄを挟んで上側をＮＧゾーンとしており、エアの漏れが多く気密性が低い範囲を示している。
【００３７】
図６に示すように、対策前の発電機は、経過時間が増加するにつれて漏れ量も増加する傾向にあり、結果的にＮＧゾーンを越える量のエア漏れが確認された。
これに対して、対策後の発電機にあっては、経過時間の初期段階では、エア漏れが確認されなかった。また、経過時間が経つにつれてエアの漏れが若干確認されたものの、その値は小さく、直線Ｄから大きく下回ってＯＫゾーン内に確実に収まるという良好な結果が得られた。
【００３８】
以上の結果より、絶縁チューブ２２内をグリス４０により閉塞することで、絶縁チューブ２２のシール性を向上させることができる。そして、絶縁チューブ２２のシール性を向上させることで、絶縁チューブ２２からのエア漏れを防いで、エンジンの内部の気密性を向上させることができる。さらに、気密性の高い発電機１をエンジンに搭載することで、完成品検査の気密性試験において他の部品からエア漏れがあった場合に、エア漏れ対象部品を特定しやすくなる。
【００３９】
なお、本発明は上述の実施形態に限られるものではなく、本発明の趣旨を逸脱しない範囲において、上述の実施形態に種々の変更を加えたものを含む。
例えば、第１実施形態と第２実施形態とを組み合わせるような構成を採用することも可能である。これにより、絶縁チューブのシール性をより向上させることができる。また、絶縁チューブの他端の開口部を外側から覆うようなシール部材を用いてもよい。さらに、上述の実施形態では、絶縁性被覆部材として管状の絶縁チューブを用いるような構成について説明したが、これに限られることなく、絶縁性を有するシートで結合部を包むような構成等、種々の形状を用いることが可能である。
【図面の簡単な説明】
【００４０】
【図１】本発明の実施形態における発電機の平面図である。
【図２】図１のＡ−Ａ線に相当する断面図である。
【図３】本発明の第１実施形態における電機子コイルの結合部の詳細図である。
【図４】本発明の第１実施形態における電機子コイルの結合部の詳細図である。
【図５】本発明の実施形態における試験装置の概略構成図である。
【図６】経過時間（ｓ）に対する漏れ量（ｃｃ）を示すグラフである。
【符号の説明】
【００４１】
１…発電機（回転電機）  ３…ロータ  ４…ステータ  １８…電機子コイル  ２５…コイル線材  ２５ａ…端末部  １９…発電出力用リード線  １９ａ…端末部  ２１…結合部  ２２…絶縁チューブ  ３５…シール部材（絶縁性被覆部材）  ４０…グリス（油性ゲル状物質）
【図１】
2009189156.tif 000003
【図２】
2009189156.tif 000004
【図３】
2009189156.tif 000005
【図４】
2009189156.tif 000006
【図５】
2009189156.tif 000007
【図６】
2009189156.tif 000008